(57)【要約】      （修正有）【課題】簡便で迅速に使用が可能で、濡れているおしぼりを大量に用意でき、便利に絞ることができ、保存期限を延長可能で、衛生水準を上げ、コストを低下させることができ、レストラン、イベント会場等での使用に適しているおしぼり圧迫構造を提供する。【解決手段】おしぼり圧迫構造は、台座１０、圧蓋２０を備え、台座１０には、底面部１１を設置し、底面部１１には、対応して設置する少なくとも２個の側壁１１１を設置し、底面部１１と、対応して設置する少なくとも２個の側壁１１１とは収容設置空間を形成し、圧蓋２０上方には圧合面２１を設置し、圧合面２１には、対応して設置する少なくとも２個の側翼２１１を設置し、これにより圧蓋２０は、台座１０の底面部１１と、対応して設置する少なくとも２個の側壁１１１とが形成する収容設置空間内において、対応し作動する。【選択図】図１
0003147512.tif 000002
【実用新案登録請求の範囲】
【請求項１】
台座、圧蓋を備え、
前記台座には、底面部を設置し、前記底面部には、対応して設置する少なくとも２個の側壁を設置し、前記底面部と、前記対応して設置する少なくとも２個の側壁とは収容設置空間を形成し、
前記圧蓋上方には圧合面を設置し、前記圧合面には、対応して設置する少なくとも２個の側翼を設置し、これにより前記圧蓋は、前記台座の底面部と、前記対応して設置する少なくとも２個の側壁とが形成する収容設置空間内において、対応し作動することを特徴とするおしぼり圧迫構造。
【請求項２】
前記台座の底面部と、前記対応して設置する少なくとも２個の側壁とは、一体成型であることを特徴とする請求項１に記載のおしぼり圧迫構造。
【請求項３】
前記台座の底面部と、前記対応して設置する少なくとも２個の側壁とは、別々の部品を相互に結合する設計としてもよいことを特徴とする請求項１に記載のおしぼり圧迫構造。
【請求項４】
前記圧蓋の圧合面と、前記対応して設置する少なくとも２個の側翼とは、一体成型であることを特徴とする請求項１に記載のおしぼり圧迫構造。
【請求項５】
前記圧蓋の圧合面と、前記対応して設置する少なくとも２個の側翼とは、別々の部品を相互に結合する設計としてもよいことを特徴とする請求項１に記載のおしぼり圧迫構造。
【請求項６】
前記台座の底面には、複数のクッション体を設置し、これにより定位を安定させることを特徴とする請求項１に記載のおしぼり圧迫構造。
【考案の詳細な説明】
【技術分野】
【０００１】
本考案はおしぼり圧迫構造に関し、特に台座と圧蓋の組合せ設計からなり、簡便で迅速に使用が可能で、濡れているおしぼりを大量に用意でき、便利に絞ることができ、保存期限を延長可能で、衛生水準を上げ、コストを低下させることができ、レストラン、イベント会場等での使用に適しているおしぼり圧迫構造に関する。
【背景技術】
【０００２】
従来のおしぼりは、単独包装の方式を採用し、長期保存のために、抗菌剤を添加する必要があった。しかし、抗菌剤の添加は使用者に対して悪い影響があり、しかも個別包装であるため製造コストを拡大していた。
【０００３】
別種の従来のおしぼりは、加熱或いは冷却装置を採用し、さまざまな温度のおしぼりを形成し、使用者の必要に応じていた。しかし、使用後は業者が回収して洗浄し、再使用するため、洗浄と消毒を適切に行わなければ、衛生上の問題が懸念される。よって実際の使用者のニーズに応えることはできない。本考案は、従来のおしぼり圧迫構造の上記した欠点に鑑みてなされたものである。
【考案の開示】
【考案が解決しようとする課題】
【０００４】
本考案が解決しようとする第一の課題は、台座と圧蓋の組合せ設計からなり、乾いたおしぼりを嵌合部品に巻いて設置後、使用者の必要に応じて、冷水或いは熱湯（または、化粧水、芳香液等の液体を添加することもできる）を注入し、これにより乾燥したおしぼりは、濡れるおしぼりとなり、さらに、該嵌合部品に巻いて設置したおしぼりを、台座底面部と対応して設置する少なくとも２個の側壁が形成する収容設置空間内に入れ、この時、圧蓋の圧合面を、嵌合部品に巻いて設置するおしぼり上方に接触させ、圧合面が設置する対応して設置する少なくとも２個の側翼は、嵌合部品に巻きついていないおしぼりの両端に位置するため、圧蓋を下方へと押すと、おしぼり中の水分の一部は圧迫により押し出され、このようにして大量のおしぼりを迅速に用意することができ、全体的な使用の実用性と利便性を大幅に向上させることができるおしぼり圧迫構造を提供することである。
本考案が解決しようとする第二の課題は、台座が設置する対応して設置する少なくとも２個の側壁と、圧蓋に対応して設置する少なくとも２個の側翼により、嵌合部品に巻いて設置するおしぼりを、内部に限定し定位することができ、これにより圧迫の利便性が上がり、使用の実用性が向上するおしぼり圧迫構造を提供することである。
本考案が解決しようとする第三の課題は、台座と圧蓋の組合せ構造により、乾いたおしぼりを嵌合部品に巻いて設置後、使用者の必要に応じて、冷水或いは熱湯を注入し、さらに、おしぼり中の水分の一部を押し出すことができる。これだけで即使用が可能となるため、大量の乾いたおしぼりを先ずは袋に真空包装し、使用時に水を加え圧迫すれば良く、すなわち、従来のおしぼりのように、長期保存のために、抗菌剤を添加する必要がなく、抗菌剤を添加せずとも長期間の保存が可能で、しかも、おしぼりは使用後は廃棄するため、再使用を回避可能で、衛生水準を向上させることができ、実用性と安全性を向上させ、しかもコストを効果的に低下させることができるおしぼり圧迫構造を提供することである。
【課題を解決するための手段】
【０００５】
上記課題を解決するため、本考案は下記のおしぼり圧迫構造を提供する。
おしぼり圧迫構造は、台座、圧蓋を備える。
該台座には、底面部を設置し、該底面部には、対応して設置する少なくとも２個の側壁を設置し、該底面部と、該対応して設置する少なくとも２個の側壁とは収容設置空間を形成する。
該圧蓋上方には圧合面を設置し、該圧合面には、対応して設置する少なくとも２個の側翼を設置し、これにより該圧蓋は、該台座の底面部と、該対応して設置する少なくとも２個の側壁とが形成する収容設置空間内において、対応し作動する。
これにより簡便で迅速な使用が可能で、大量のおしぼりの形成に便利で、また、水分をしぼり易く、保存期限を延長可能で、衛生水準を向上させ、コストを低下させることができるため、全体的な実用性、利便性、安全性を向上させることができる。
【考案の効果】
【０００６】
本考案は、簡便で迅速な使用が可能で、大量のおしぼりの形成に便利で、水分をしぼり易く、保存期限を延長可能で、衛生水準を向上させ、コストを低下させることができる。
【考案を実施するための最良の形態】
【０００７】
以下に図面を参照しながら本考案を実施するための最良の形態について詳細に説明する。図１、図２に示すように、本考案一実施形態によるおしぼり圧迫構造は、台座１０、圧蓋２０からなる。台座１０には、底面部１１を設置する。底面部１１には、対応して設置する少なくとも２個の側壁１１１を設置する。底面部１１と対応して設置する少なくとも２個の側壁１１１は、収容設置空間１２を形成する。台座１０の底面部１１と対応して設置する少なくとも２個の側壁１１１は一体成型である。また、実際の使用時には、台座１０の底面部１１と対応して設置する少なくとも２個の側壁１１は、別々の部品を相互に結合する設計としてもよい（図示なし）。台座１０の底面には、複数のクッション体１３を設置し、これにより定位を安定させる。
【０００８】
圧蓋２０上方には圧合面２１を設置する。圧合面２１には、対応して設置する少なくとも２個の側翼２１１を設置し、これにより圧蓋２０は、台座１０の底面部１１と対応して設置する少なくとも２個の側壁１１１が形成する収容設置空間１２内において、対応し作動する。圧蓋２０の圧合面２１と対応して設置する少なくとも２個の側翼２１１は、一体成型である。また、実際の使用時には、圧蓋２０の圧合面２１と対応して設置する少なくとも２個の側翼２１１は、別々の部品を相互に結合する設計としてもよい（図示なし）。
【０００９】
図１から図５に示すように、台座１０と圧蓋２０の組合せ構造により、乾燥したおしぼり３０を、嵌合部品４０に巻いて設置し、使用者の必要に応じて、冷水或いは熱湯を注入する。または、化粧水、芳香液等の液体を添加することもできる。これにより乾燥したおしぼり３０は、おしぼり３０となる。さらに、嵌合部品４０に巻いて設置したおしぼり３０を、台座１０底面部１１と対応して設置する少なくとも２個の側壁１１１が形成する収容設置空間１２内に入れる。この時、圧蓋２０の圧合面２１を、嵌合部品４０に巻いて設置するおしぼり３０上方に接触させる。圧合面２１が設置する対応して設置する少なくとも２個の側翼２１１は、嵌合部品４０に巻きついていないおしぼり３０の両端に位置するため、圧蓋２０を下方へと押すと、おしぼり３０中の水分の一部は圧迫により押し出される。このようにして大量のおしぼり３０を迅速に用意することができ、全体的な使用の実用性と利便性を大幅に向上させることができる。台座１０が設置する対応して設置する少なくとも２個の側壁１１１と、圧蓋２０が設置する対応して設置する少なくとも２個の側翼２１１により、嵌合部品４０に巻いて設置するおしぼり３０を、内部に限定し定位することができる。これにより圧迫の利便性が上がり、使用の実用性が向上する。また、台座１０と圧蓋２０の組合せ構造により、乾いたおしぼり３０を嵌合部品４０に巻いて設置後、使用者の必要に応じて、冷水或いは熱湯を注入し、さらに、おしぼり３０中の水分の一部を押し出すことができる。これだけで即使用が可能となるため、大量の乾いたおしぼり３０を先ずは袋に真空包装し、使用時に水を加え圧迫すれば良い。すなわち、従来のおしぼりのように、長期保存のために、抗菌剤を添加する必要がなく、抗菌剤を添加せずとも長期間の保存が可能である。しかも、おしぼり３０は使用後は廃棄するため、再使用を回避可能で、衛生水準を向上させることができ、実用性と安全性を向上させ、しかもコストを効果的に低下させることができる。本考案の一実施形態によるおしぼり圧迫構造は、簡便で迅速な使用が可能で、大量のおしぼり３０の形成に便利である。また、水分をしぼり易く、保存期限を延長可能で、衛生水準を向上させ、コストを低下させることができるため、全体的な実用性、利便性、安全性を向上させることができる。
【図面の簡単な説明】
【００１０】
【図１】本考案一実施形態によるおしぼり圧迫構造の立体概観図である。
【図２】本考案一実施形態によるおしぼり圧迫構造において、部品を示す立体分解図である。
【図３】本考案一実施形態によるおしぼり圧迫構造において、使用状態を示す概略図である。
【図４】本考案一実施形態によるおしぼり圧迫構造において、未圧迫状態を示す断面概略図である。
【図５】本考案一実施形態によるおしぼり圧迫構造において、圧迫を受ける状態を示す概略図である。
【符号の説明】
【００１１】
１０  台座
１１  底面部
１２  収容設置空間
１３  クッション体
２０  圧蓋
２１  圧合面
３０  おしぼり
４０  嵌合部品
１１１  側壁
２１１  側翼
【図１】
0003147512.tif 000003
【図２】
0003147512.tif 000004
【図３】
0003147512.tif 000005
【図４】
0003147512.tif 000006
【図５】
0003147512.tif 000007